(57)【要約】【課題】  掃き出し窓に安定して設置することができる開閉ゲートを提供する。【解決手段】  本発明に係る開閉ゲート１は、水平方向に伸びる下フレーム部２と、下フレーム部２の一端に連結され鉛直上方に伸びる第１縦フレーム部３と、下フレーム部２の他端に連結され鉛直上方に伸びる第２縦フレーム部４と、第１縦フレーム部３と第２縦フレーム部４の間で開閉作動する開閉ドア５と、下フレーム部２の下面に設けられた嵌め込み部６と、を備えている。そして、嵌め込み部６は、掃き出し窓１００の下枠１０４に設けられたレール部分１０６に嵌め込むことができるよう構成されている。【選択図】図１
2011111775.tif 000002
【特許請求の範囲】
【請求項１】
水平方向に伸びる下フレーム部と、
前記下フレーム部の一端に連結され鉛直上方に伸びる第１縦フレーム部と、
前記下フレーム部の他端に連結され鉛直上方に伸びる第２縦フレーム部と、
前記第１縦フレーム部と第２縦フレーム部の間で開閉作動する開閉ドアと、
前記下フレーム部の下面に設けられた嵌め込み部と、を備え、
前記嵌め込み部は、掃き出し窓の下枠に設けられたレール部分に嵌め込むことができるよう構成されている、
開閉ゲート。
【請求項２】
前記嵌め込み部は、正面から見て横方向に伸びる嵌め込み溝を有し、
前記嵌め込み溝は、前記レール部分に設けられた断面凸状のレールを挿入できるよう形成されている、
請求項１に記載の開閉ゲート。
【請求項３】
前記嵌め込み溝は底部分から先端部に向かって徐々に広くなるよう形成されている、
請求項２に記載の開閉ゲート。
【請求項４】
正面から見て左右の一端から外側へ伸長可能に設けられた第１伸長部材をさらに備え、
前記第１伸長部材は先端部分に第１押面部を有し、
前記第１押面部は縦長であって、横幅が２０〜３０ｍｍに形成されている、
請求項１乃至３のうちいずれか一の項に記載の開閉ゲート。
【請求項５】
正面から見て左右の他端から外側へ伸長可能に設けられた第２伸長部材をさらに備え、
前記第２伸長部材は先端部分に第２押面部を有し、
前記第２押面部の先端面には、伸長方向へ突出する係止部が形成されている、
請求項１乃至４のうちいずれか一の項に記載の開閉ゲート。
【発明の詳細な説明】
【技術分野】
【０００１】
本発明は、人やペットなどの移動を制限する開閉ゲートに関し、特に一般家庭で使用可能な開閉ゲートに関する。
【背景技術】
【０００２】
開閉ゲートは一般家庭においても広く普及しており、キッチンの入り口や階段の前に設置することで、小さな子供やペットがキッチンに入ったり階段を上ったりしないようにすることができる（特許文献１及び２参照）。
【先行技術文献】
【特許文献】
【０００３】
【特許文献１】特開２００４−１３０１２１号公報
【特許文献２】特開２００８−２０２３３７号公報
【発明の概要】
【発明が解決しようとする課題】
【０００４】
ところで、一般的な住宅では「掃き出し窓」と呼ばれる床面から天上付近まで達するような人の出入りを想定した窓が多く使用されている。例えば、ベランダの入り口などはこの掃き出し窓が採用されることが多く、それらのほとんどはアルミサッシや樹脂サッシなどからできており、窓（引戸）のレールは断面凸状に形成されている。また、ベランダについていえば、子供がベランダから誤って転落するという事故が後を絶たない状況にある。これは、子供がベランダに侵入しなければ生じ得なかった事故である。さらに、ベランダに限らず、掃き出し窓から小さな子供やペットが屋外に出るのを防止したい場合もある。
【０００５】
ところが、従来の一般家庭用の開閉ゲートは、室内における人やペットの移動を制限することを目的としており、いずれも掃き出し窓に設置できないか、又は、設置できたとしても安定的に設置できる構造にはなかった。本発明はこのような問題点に着目してなされたものであって、本発明は掃き出し窓に安定して設置することができる開閉ゲートを提供することを目的としている。
【課題を解決するための手段】
【０００６】
本発明は上記のような課題を解決するためになされたものであって、本発明に係る開閉ゲートは、水平方向に伸びる下フレーム部と、前記下フレーム部の一端に連結され鉛直上方に伸びる第１縦フレーム部と、前記下フレーム部の他端に連結され鉛直上方に伸びる第２縦フレーム部と、前記第１縦フレーム部と第２縦フレーム部の間で開閉作動する開閉ドアと、前記下フレーム部の下面に設けられた嵌め込み部と、を備え、前記嵌め込み部は、掃き出し窓の下枠に設けられたレール部分に嵌め込むことができるよう構成されている。かかる構成によれば、開閉ゲートの下フレーム部を掃き出し窓のレール部分にしっかりと固定することができる。
【０００７】
また、上記の開閉ゲートにおいて、前記嵌め込み部は、正面から見て横方向に伸びる嵌め込み溝を有し、前記嵌め込み溝は、前記レール部分に設けられた断面凸状のレールを挿入できるよう形成されるようにしてもよい。かかる構成によれば、嵌め込み溝にレール部分のレールを挿入することができるため、開閉ゲートの下フレーム部を掃き出し窓のレール部分にしっかりと固定することができる。
【０００８】
また、上記の開閉ゲートにおいて、前記嵌め込み溝は底部分から先端部に向かって徐々に広くなるよう形成されるようにしてもよい。掃き出し窓のレールの厚みは製品によって若干異なるが、上記の構成によれば、掃き出し窓のレールの厚みにかかわらず、その厚みに対応する溝幅の位置にまでレールを挿入することで、レールを嵌め込み溝にしっかりと固定することができる。よって、掃き出し窓のレールの厚みの違いに影響されることなく、開閉ゲートを掃き出し窓に固定することができる。
【０００９】
また、上記の開閉ゲートにおいて、正面から見て左右の一端から外側へ伸長可能に設けられた第１伸長部材をさらに備え、前記第１伸長部材は先端部分に第１押面部を有し、前記第１押面部は縦長であって、横幅が２０〜３０ｍｍに形成されるようにしてもよい。掃き出し窓の縦枠の内側には、引戸を閉めたときにその引戸の先端部分を格納する幅が３２ｍｍ程度の格納溝が設けられている。そして、上記の構成によれば、第１押面部の横幅が２０〜３０ｍｍであるため、第１押面部をその格納溝に挿入することができる。また、第１押面部の横幅が従来の屋内用のものに比べて小さいが、第１押面部の形状を縦長にすることにより、全体としての接触面積が小さくなることもない。これにより、開閉ゲートの第１押面部をしっかりと縦枠に接触させ、開閉ゲートを掃き出し窓に強固に固定することができる。なお、上記の「縦長」とは、回転しても常に縦が長いという意味ではなく、ある一の方向を横方向とし、この横方向に直角な方向を縦方向とした場合に、縦方向の寸法が横方向の寸法よりも長いという意味である。
【００１０】
また、上記の開閉ゲートにおいて、正面から見て左右の他端から外側へ伸長可能に設けられた第２伸長部材をさらに備え、前記第２伸長部材は先端部分に第２押面部を有し、前記第２押面部の先端面には、伸長方向へ突出する係止部が形成されるように構成してもよい。かかる構成によれば、第２伸長部材を伸長させて第２押面部の先端面を引戸に接触させたとき、係止片を引戸に引っ掛かるように位置させることができる。これにより、開閉ゲートに前後方向の力がかかったとしても、係止片が引戸に引っかかることにより、開閉ゲートが掃き出し窓から外れるのを防止することができる。
【発明の効果】
【００１１】
本発明によれば、開閉ゲートの下フレーム部を掃き出し窓のレール部分にしっかりと固定することができる。よって、掃き出し窓に安定して設置することができる開閉ゲートを提供することができる。
【図面の簡単な説明】
【００１２】
【図１】本発明の実施形態に係る開閉ゲートの正面図である。
【図２】本発明の実施形態に係る嵌め込み部の拡大斜視図である。
【図３】本発明の実施形態に係る第１伸張部材周辺の分解図である。
【図４】本発明の実施形態に係る第２伸張部材周辺の分解図である。
【図５】本発明の実施形態に係る開閉ゲートの取り付け状態を示した概略横断面図であり、（ａ）は引戸を開けた状態を示しており、（ｂ）は引戸を閉めた状態を示している。
【図６】本発明の実施形態に係る嵌め込み部の使用状態を示した斜め側面図である。
【発明を実施するための形態】
【００１３】
以下、本発明に係る開閉ゲートの実施形態について図を参照しながら説明する。以下では、全ての図面を通じて同一又は相当する要素には同じ符号を付して、重複する説明は省略する。
【００１４】
（開閉ゲートの構造）
まず、図１〜図４を参照して、本発明の実施形態に係る開閉ゲート１の構成について説明する。本実施形態に係る開閉ゲート１は、下フレーム部２と、第１縦フレーム部３と、第２縦フレーム部４と、開閉ドア５と、嵌め込み部６と、第１伸長部材７と、第２伸長部材８と、を備えている。以下、各構成要素について順に説明する。
【００１５】
下フレーム部２は、開閉ゲート１の下方部分に位置する部材である。下フレーム部２は棒状の形状を有しており水平方向に伸びている。また、下フレーム部２は、一端側（図１では紙面右側）に第１縦フレーム部３が連結されており、他端側（図１では紙面左側）に第２縦フレーム部４が連結されている。別の言い方をすれば、下フレーム部２は、第１縦フレーム部３と第２縦フレーム部４とをつなぐ連結部材としての役割を果たしている。なお、本実施形態において、第１縦フレーム部３と第２縦フレーム部４とを直接つなぐ部材は下フレーム部２以外には存在しないため、下フレーム部２は開閉ゲート１の剛性を保つうえで重要な部材である。また、下フレーム部２の厚みは２０〜３０ｍｍであることが望ましい。後述するように、下フレーム部２が引戸１０２（図５（ｂ）参照）と干渉しないようにするためである。さらに、下フレーム部２の両端面の２箇所には挿入穴９が形成されており、これらの両挿入穴９に隣接して同軸上に回転ナット１０が設けられている。この回転ナット１０は、下フレーム部２に対して回転可能に取り付けられており、その中央には雌ねじが形成されている。
【００１６】
第１縦フレーム部３は、開閉ゲート１の右左の一方であって第２縦フレーム部４と反対側に位置する部材である（図１では紙面右側に位置している。）。第１縦フレーム部３は、下フレーム部２の端部に連結しており、鉛直方向に伸びている。本実施形態に係る第１縦フレーム部３は、２本の縦棒部材１１と、これらを上方でつなぐ横棒部材１２とによって形成されている。なお、第１縦フレーム部３は図１に図示する場合とは異なり板状の部材により形成することもできるが、本実施形態のように各棒部材１１、１２によって形成すれば、掃き出し窓１００（図５（ａ）（ｂ）参照）を介して入る外からの光が遮られることはない。また、第１縦フレーム部３の厚みは、下フレーム部２と同様に、引戸１０２（図５（ｂ）参照）と干渉しないように２０〜３０ｍｍであることが望ましい。さらに、第１縦フレーム部３の横棒部材１２の外側端面には挿入穴１３が形成されており、この挿入穴１３に隣接して同軸上に回転ナット１０が設けられている。この回転ナット１０は、横棒部材１２に対して回転可能に取り付けられており、その中央には雌ねじが形成されている。
【００１７】
第２縦フレーム部４は、開閉ゲート１の右左の一方であって第１縦フレーム部３と反対側に位置する部材である（図１では紙面左側に位置している。）。第２縦フレーム部４は、下フレーム部２の端部に連結しており、鉛直方向に伸びている。本実施形態に係る第２縦フレーム部４は、第１縦フレーム部３と同様に、２本の縦棒部材１４と、これらを上方でつなぐ横棒部材１５とによって形成されている。第２縦フレーム部４についても、板状の部材により形成することもできるが、本実施形態のように各棒部材１４、１５によって形成すれば掃き出し窓１００（図５（ａ）（ｂ）参照）を介して入る外からの光が遮られることはない。また、第２縦フレーム部４の厚みは、下フレーム部２等と同様に、引戸１０２（図５（ｂ）参照）と干渉しないように２０〜３０ｍｍであることが望ましい。さらに、第２縦フレーム部４の横棒部材１５の外側端面には挿入穴１６が形成されており、この挿入穴１６に隣接して同軸上に回転ナット１０が設けられている。この回転ナット１０は、横棒部材１５に対して回転可能に取り付けられており、その中央には雌ねじが形成されている。
【００１８】
開閉ドア５は、開閉ゲート１の中央に位置するドア部材である。開閉ドア５は、複数の縦棒部材１７と、これらを上方でつなぐ上横棒部材１８と、下方でつなぐ下横棒部材１９によって構成されている。開閉ドア５もまた板状の部材により形成することもできるが、本実施形態のように各棒部材１７〜１９によって形成すれば掃き出し窓１００（図５（ａ）（ｂ）参照）を介して入る外からの光が遮られることはない。また、第２縦フレーム部４の横棒部材１５と開閉ドア５の上横棒部材１８との間には、内部の軸部材２１を軸として両側の部材（横棒部材１５及び上横棒部材１８）を互いに揺動可能に接続するヒンジ装置２０が設けられている。さらに、開閉ドア５の下横棒部材１９の下面のうち上記のヒンジ装置２０の下方にあたる部分には鉛直下方に伸びる軸棒２２が固定されているとともに、下フレーム部２の上面のうちこの軸棒２２に対応する位置に軸受穴２３が設けられている。かかる構成により、開閉ドア５は、ヒンジ装置２０の軸部材２１及び軸棒２２を回転軸として開閉動作を行うことができる。
【００１９】
また、第１縦フレーム部３の横棒部材１２と開閉ドア５の上横棒部材１８との間にはラッチ装置２４が設けられており、開閉ドア５が閉められると自動的に開閉ドア５が第１縦フレーム部３に係止した状態（空締り状態）となる。そして、ラッチ装置２４の上面に設けられた開閉ボタン２５を押すことにより空締り状態が解除される。さらに、開閉ドア５の下横棒部材１９の下面のうち、第１縦フレーム部３側の部分には上下に作動するロックバー２６が設けられているとともに、下フレーム部２の上面のうち前記のロックバー２６に対応する部分にはロックバー挿入穴２７が形成されている。そして、ロックバー２６は先端が球状に形成されており、図示しない付勢部材により下方に付勢されている。これにより、開閉ドア５が閉まる際には、ロックバー２６は先端が下フレーム部２に接触することにより一旦上方に移動し、その後ロックバー挿入穴２７に入り込むことになる。ロックバー２６がロックバー挿入穴２７に挿入された状態では、水平方向の移動のみでは開閉ドア５を開けることができない。なお、開閉ドア５は上方にわずかに浮かすことができるように構成されており、開閉ドア５を上方に移動させつつ開けるようにすれば、開閉ドア５を開けることができる。
【００２０】
嵌め込み部６は、下フレーム部２の下面に位置する部材である。本実施形態では、図１に示すように、嵌め込み部６は、下フレーム部２の下面のうち、第１縦フレーム部３付近及び第２縦フレーム部４付近の２箇所に設けられている。２箇所に設けられた嵌め込み部６は、同じ形状を有しており、図２に示すようにその中央部分に嵌め込み溝２８を有している。この嵌め込み溝２８は、正面から見て横方向に伸びており、溝幅は掃き出し窓１００のレール１０５の幅に略等しく形成されている（図６参照）。具体的には、嵌め込み溝２８の横幅は、２〜４ｍｍに形成されている。また、本実施形態では、嵌め込み溝２８の溝幅は、先端部分を除いて、ほぼ同じになるよう形成されているが、底部分から先端部に向かうに従って徐々に溝幅が広くなるよう形成してもよい。なお、嵌め込み部６は、貫通孔３４を介して図示しないボルトによって下フレーム部２に固定される。
【００２１】
第１伸長部材７は、突っ張ることで開閉ゲート１を安定させるための部材である。本実施形態に係る第１伸長部材７は、下フレーム部２の一方の端面（図１では紙面右側の端面）と、第１縦フレーム部３の横棒部材１２の外側端面との２箇所に設けられている。図３に示すように、本実施形態に係る第１伸長部材７は、雄ねじが形成された軸部２９と、先端部分に位置する第１押面部３０とを有している。なお、図３は、第１縦フレーム部３の挿入穴１３の周辺を図示しているが、下フレーム部２の第１縦フレーム部３側に位置する挿入穴９の周辺も基本的に同じ構造である。第１押面部３０は縦長の楕円形状を有しており、本実施形態では横幅が２８ｍｍに形成されているが、横幅は２０〜３０ｍｍであることが望ましい。これは、後述するように、第１押面部３０は掃き出し窓１００の縦材１０７に設けられた幅およそ３２ｍｍの収容溝１０９（図５（ａ）（ｂ）参照）に挿入するためである。また、第１伸長部材７は、下フレーム部２や第１縦フレーム部３に取り付けられた回転ナット１０にねじ込まれており、根元部分にあたる軸部２９は挿入穴９、１３（図１参照）に挿入されている。そして、回転ナット１０を第１伸長部材７に対して回転させることで（第１伸長部材７を回転させない状態で回転ナット１０を回転させることで）、第１伸長部材７を外側へ伸長させ、また、収縮させることができる。
【００２２】
第２伸長部材８は、突っ張ることで開閉ゲート１を安定させるための部材である。本実施形態に係る第２伸長部材８は、下フレーム部２の他方の端面（図１では紙面左側の端面）と、第２縦フレーム部４の横棒部材１５の端面部分との２箇所に設けられている。図４に示すように、本実施形態に係る第２伸長部材８は、雄ねじが形成された軸部３１と、先端部分に位置する第２押面部３２とを有している。なお、図４は、第２縦フレーム部４の挿入穴１６の周辺を図示しているが、下フレーム部２の第２縦フレーム部４側に位置する挿入穴９の周辺も基本的に同じ構造である。第２押面部３２は長方形の形状を有しており、第２押面部３２の先端面には、伸長方向へ突出する係止部３３が形成されている。係止部３３は、直線状の形状を有しており、先端面の端部に位置している。つまり、第２押面部３２は、断面Ｌ字状に形成されている。また、第２伸長部材８は、下フレーム部２の及び第２縦フレーム部４に取り付けられた回転ナット１０にねじ込まれており、根元部分にあたる軸部３１は挿入穴９、１６（図１参照）に挿入されている。そして、回転ナット１０を第２伸長部材８に対して回転させることで（第２伸長部材８を回転させない状態で回転ナット１０を回転させることで）、第２伸長部材８を外側へ伸長させ、また、収縮させることができる。
【００２３】
以上が、本実施形態に係る開閉ゲートの構成である。
【００２４】
（開閉ゲートの取付け方法）
次に、図５及び図６を参照して、本実施形態に係る開閉ゲート１の掃き出し窓１００への取り付け方法について説明する。ここで開閉ゲート１を取り付ける掃き出し窓１００は、図５（ａ）（ｂ）に示すように、引き違えて開閉を行う２枚の引戸１０１、１０２と、その２枚の引戸１０１、１０２を囲むように形成された枠材１０３とから主に構成されている。そして、図６に示すように、枠材１０３のうち下方に位置する下枠１０４には断面凸状のレール１０５とその周辺部分からなるレール部分１０６が形成されており、左右両側に位置する縦枠１０７、１０８の内側には引戸１０１、１０２を閉めたときに引戸１０１、１０２の先端部分が収容される収容溝１０９、１１０が形成されている。さらに、本実施形態では、掃き出し窓１００の外側（屋外側）に網戸１１１が取り付けられている。なお、図５（ａ）（ｂ）において紙面上方が屋外側であり、紙面下方が屋内側である。
【００２５】
まず、図５（ａ）に示すように、開閉ゲート１を屋外側の引戸１０１と縦枠１０７との間に仮置きする。このとき、仮置きする方向に注意が必要である。すなわち、開閉ゲート１のうち第１伸長部材７が設けられている部分が縦枠１０７側に位置し、第２伸長部材８が引戸１０１側に位置するようにして、開閉ゲート１を仮置きする。
【００２６】
続いて、図６に示すように、開閉ゲート１の嵌め込み部６に形成された嵌め込み溝２８に下枠１０４のレール１０５を挿入する。上記のように、嵌め込み溝２８の溝幅はレール１０５の幅に略等しく形成されているため、嵌め込み溝２８にレール１０５が挿入されると開閉ゲート１の下フレーム部２は掃き出し窓１００の下枠１０４に固定される。これにより、開閉ゲート１は、少なくとも前後方向（図５（ａ）（ｂ）の紙面上下方向）への移動が制限される。なお、嵌め込み溝２８の溝幅が底部分から先端部に向かって広がるように形成されている場合、レール１０５を嵌め込み溝２８に挿入すると、レール１０５の厚みに対応する溝幅の位置で停止する。かかる構成によれば、製品の違いによる掃き出し窓１００のレール１０５の厚みの違いに影響されることなく、レール１０５を嵌め込み溝２８にしっかりと固定することができる。
【００２７】
続いて、図５に戻って、第１伸長部材７を縦枠１０７に向かって伸長させる。上記のように、回転ナット１０（図３参照）を回転させれば、第１伸長部材７を外側（縦枠１０７側）へ伸長させることができる。そして、第１伸長部材７の第１押面部３０を縦枠１０７の内側に設けられた収容溝１０９に進入させる。収容溝１０９の溝幅は、一般的な掃き出し窓１００では３２ｍｍ程度であるため、本実施形態のように第１押面部３０の横幅が２０〜３０ｍｍに形成されていれば、第１押面部３０を収容溝１０９に進入させることができる。そして、第１伸長部材７をさらに伸長させて、第１押面部３０の先端面を収容溝１０９の底面に強く接触させる。なお、本実施形態に係る第１押面部３０の横幅は、家庭用として市販されている従来の開閉ゲートのものに比べて小さいが、形状を縦長にすることにより、十分な接触面積を確保でき、第１押面部３０を収容溝１０９の底面にしっかりと押し当てることができる。
【００２８】
続いて、第２伸長部材８を引戸１０１に向かって伸長させる。上記のように、回転ナット１０（図４参照）を回転させれば、第２伸長部材８を外側（引戸１０１側）へ伸長させることができる。そして、引戸１０１の端面（図５では紙面左側の端面）に第２押面部３２の先端面を接触させる。このとき、第２押面部３２の係止部３３は、引戸１０１の端面に接することなく、引戸１０１の端面の屋内側、すなわち２枚の引戸１０１、１０２の間に位置させる。このように取り付けることにより、例えば開閉ゲート１に子供が寄り掛かるなどして、屋内側から屋外側へ力がかかったとしても、係止部３３が外側の引戸１０１の先端部分に引っ掛かる（係止する）ことにより、開閉ゲート１が屋外側へ外れることはない。このように、第１伸長部材７を伸長させる（突っ張る）とともに、第２伸長部材８を伸長させる（突っ張る）ことにより、開閉ゲート１を安定して掃き出し窓１００に設置することができる。
【００２９】
以上のように、本実施形態に係る開閉ゲート１は、掃き出し窓１００のレール１０５に嵌め込み可能な嵌め込み部６を有するとともに、掃き出し窓１００の枠材１０３の形状に対応させた第１伸長部材７、及び引戸１０１の形状に対応させた第２伸長部材８を有するため、開閉ゲート１を掃き出し窓１００に安定して設置することができる。そして、上記のように、本実施形態に係る下フレーム部２、第１縦フレーム部３、第２縦フレーム部４、及び開閉ドア５の厚みをそれぞれ２０〜３０ｍｍになるよう構成することにより、その厚みは引戸１０１、１０２の厚みと同じか、それよりもより小さくなるため、図５（ｂ）に示すように開閉ゲート１が固定された引戸１０１とは異なる方の引戸１０２の開閉を阻害することもなく、また、図５（ａ）（ｂ）に示すように網戸１１１が取り付けられている場合も、網戸１１１を自由に開閉することができる。
【００３０】
なお、以上では、係止部３３が引戸１０１の室内側に位置するようにして開閉ゲート１を掃き出し窓１００に設置する場合について説明したが、ペットがベランダ側から室内側へ侵入するのを防止する場合など、開閉ゲート１が主に屋外側から屋内側に力がかかるような場合には、係止部３３が屋外側に位置するように設置するのが望ましい。また、以上では、開閉ゲート１を屋外側の引戸１０１に取り付ける場合について説明したが、屋内側の引戸１０２に取り付けるようにしてもよい。
【００３１】
以上、本発明に係る実施形態について図を参照して説明したが、具体的な構成はこれらの実施形態に限られるものではなく、この発明の要旨を逸脱しない範囲の設計の変更等があっても本発明に含まれる。例えば、上記の実施形態では、嵌め込み部６の嵌め込み溝２８に下枠１０４のレール１０５を挿入することにより、嵌め込み部６をレール部分１０６に嵌め込む場合について説明したが、嵌め込み部６の形状をレール１０５脇の溝の形状に対応させて形成し、その溝に嵌め込み部６を挿入することによって、嵌め込み部６をレール部分１０６に嵌め込むようにしてもよい。要は、掃き出し窓１００の下枠１０４に形成されたレール部分１０６の凹凸形状に対応して嵌め込み部６を形成することにより、その嵌め込み部６がレール部分１０６に嵌め込み可能な構成であればよい。
【産業上の利用可能性】
【００３２】
本発明によれば、掃き出し窓に安定して設置することができる開閉ゲートを提供することができる。よって、本発明は、開閉ゲートの技術分野において有益である。
【符号の説明】
【００３３】
１  開閉ゲート
２  下フレーム部
３  第１縦フレーム部
４  第２縦フレーム部
５  開閉ドア
６  嵌め込み部
７  第１伸長部材
８  第２伸長部材
２８  嵌め込み溝
３０  第１押面部
３２  第２押面部
３３  係止部
１００  掃き出し窓
１０１  引戸
１０２  引戸
１０３  枠材
１０４  下枠
１０５  レール
１０６  レール部分
１０７  縦枠
１０８  縦枠
１０９  収容溝
１１０  収容溝
【図１】
2011111775.tif 000003
【図２】
2011111775.tif 000004
【図３】
2011111775.tif 000005
【図４】
2011111775.tif 000006
【図５】
2011111775.tif 000007
【図６】
2011111775.tif 000008